(57)【要約】【課題】画像編集を行う編集機器とは別の表示装置に編集対象の画像を表示させて行う画像編集作業を、簡単にかつ画質の低下がなく行うことができる画像表示方法を提供する。【解決手段】  撮像された静止画の画像データに対して画像編集プログラムにより画像編集が行われると、画像編集を行うパーソナルコンピュータ（PC）２から、画像編集が行われた画像データのファイルデータをテレビ３に送信し、画像編集が行われた画像データのファイルデータがテレビ３により受信されると、画像編集が行われた画像データのファイルデータをデコーダによりデコードし、デコードして生成された静止画がテレビ３の画面上に表示される。【選択図】図４
2014216664.tif 000002
【特許請求の範囲】
【請求項１】
撮像された静止画の画像データに対して画像編集プログラムにより画像編集が行われると、前記画像編集を行う画像編集装置から、前記画像編集が行われた画像データのファイルデータを表示装置に送信すること、
前記画像編集が行われた画像データの前記ファイルデータが前記表示装置により受信されると、前記画像編集が行われた画像データの前記ファイルデータをデコーダによりデコードし、デコードして生成された静止画を前記表示装置の画面上に表示すること、
を有する画像表示方法。
【請求項２】
前記画像編集が行われた否かは、前記画像編集を行う前記画像編集プログラムの実行状態を監視することによって、検出される請求項１に記載の画像表示方法。
【請求項３】
前記画像編集が行われた画像データの前記ファイルデータの送信は、前記画像編集プログラムについての機能追加のためのプラグインプログラムによって行われる請求項１又は２に記載の画像表示方法。
【請求項４】
前記表示装置は、所定の再生モードを有し、
前記表示装置が前記所定の再生モードのときに、前記画像編集が行われた画像データの前記ファイルデータの受信、及び前記画像編集が行われた画像データの前記ファイルデータのデコード、及び前記デコードして生成された静止画の表示が行われる請求項１に記載の画像表示方法。
【請求項５】
前記表示装置は、有線又は無線のネットワークを介して、前記画像編集装置に接続されたテレビジョン受像機である請求項１から４のいずれか１つに記載の画像表示方法。
【請求項６】
表示装置が、撮像された静止画の画像データのファイルデータを、記憶装置の所定の記憶領域へのコピーを行うこと、
前記記憶装置に記憶された前記静止画の画像データのファイルデータを読み出してデコードして前記静止画を前記表示装置の画面上に表示すること、
画像編集を行う画像編集装置が、前記記憶装置から前記静止画の画像データのファイルデータを読み出して、画像編集プログラムにより前記画像編集を行い、前記画像編集が行われると、前記画像編集が行われた画像データのファイルデータを前記記憶装置に記憶すること、
前記表示装置は、前記画像編集が行われると、前記記憶装置に記憶された前記画像編集が行われた画像データのファイルデータを、再度読み出してデコードして前記画面上に表示すること、
を有する画像表示方法。
【請求項７】
前記画像編集装置は、データ保存コマンドの入力あるいは前記画像編集の編集処理の実行がされると、前記画像編集が行われた画像データのファイルデータを前記記憶装置に記憶する請求項６に記載の画像表示方法。
【請求項８】
前記表示装置は、前記画像編集が行われた否かは、前記記憶装置に記憶された前記静止画の画像データのファイルデータの更新日時に基づいて判定する請求項６又は７に記載の画像表示方法。
【請求項９】
前記コピーは、前記記憶装置に作成された所定のフォルダ内に前記ファイルデータをコピーすることにより行い、
前記画像編集装置は、前記所定のフォルダ内にコピーされた前記静止画の画像データの前記ファイルデータを読み出す請求項６から８のいずれか１つに記載の画像表示方法。
【請求項１０】
前記表示装置は、所定の動作モードに変更されると、前記所定のフォルダを前記記憶装置に作成する請求項９に記載の画像表示方法。
【請求項１１】
前記記憶装置は、有線又は無線のネットワークを介して、前記表示装置と接続されている請求項６から１０のいずれか１つに記載の画像表示方法。
【請求項１２】
前記表示装置は、テレビジョン受像機である請求項６から１１のいずれか１つに記載の画像表示方法。
【発明の詳細な説明】
【技術分野】
【０００１】
本発明の実施形態は、画像表示方法に関する。
【背景技術】
【０００２】
近年、デジタルカメラが広く普及している。デジタルカメラで撮像して得られた画像は、デジタルデータとして、可搬型の記録媒体に記録され、パーソナルコンピュータ（以下、PCという）の内蔵記憶装置あるいは外付け記憶装置に記憶可能である。
【０００３】
また、デジタルカメラで撮影して得られた静止画である写真は、プリントされるだけでなく、テレビジョン受像機（以下、テレビという）などの映像表示装置に表示させて、見る機会も増えてきている。デジタルカメラの高画素化により、高解像度の画像が撮影可能となっており、デジタルカメラのユーザは、その画像を、大画面で高解像度なテレビで見ることができる。
【０００４】
一方で、デジタルカメラで撮像して得られた画像を、画像編集用のソフトウエアプログラム（以下、単にプログラムという）により編集することも、広く行われている。
【０００５】
デジタルカメラで撮像して得られた画像は、通常、画像編集プログラムの各種画像処理により、PC上で様々に編集可能である。画像編集プログラムとしては、例えばアドビ社の製品「Photoshop」などがある。画像編集プログラムにより編集される編集対象の画像は、PCのモニタに表示され、画像編集を行う編集者は、そのモニタに表示された画像を見ながら、編集を行う。
【０００６】
ところが、デジタルカメラで撮像して得られた画像をPC上で編集し、その編集した画像をテレビで見るためには、編集後の画像データをメモリカード等の可搬媒体に記録し、そのメモリカード等をテレビのコネクタに装着して再生するが、ユーザには、可搬媒体の着脱及び装着という繁雑な作業が必要となる。特に、PC上での画像編集の度に、テレビの大画面でその編集の効果を確認したいときは、可搬媒体の着脱及び装着という繁雑な作業を何回も行わなければならない。
【０００７】
また、デジタルカメラで撮像して得られた画像をデジタルカメラのビデオ端子に接続されたHDMI（登録商標）ケーブル等のケーブルを介してテレビの画面上に表示するときに、画像品質の低下を防止するために、デジタルカメラから出力される映像信号の輝度や画面サイズを調整する技術も提案されている。
【０００８】
しかし、従来より行われている、デジタルカメラで撮像して得られた画像の映像信号をデジタルカメラやPCに接続されたケーブルを介して、テレビに送信してテレビ画面に表示させる場合、デジタルカメラやPCでデコードされて生成された映像信号がテレビに出力される。そのため、PC等の送信側における映像設定あるいは映像調整の影響を受け、テレビ画面に表示される画像の画質が低下するという問題がある。例えば、PCにテレビを接続して、PCの画像をテレビに表示させることも可能であるが、PCにおける映像設定の影響をテレビが受け、さらにHDMI（登録商標）ケーブル等のケーブルの種類によっても、映像信号が変化してしまう。
【０００９】
従って、デジタルカメラで撮像して得られた画像を、別体の表示装置であるテレビに表示させながら、編集装置であるPCで編集するには、繁雑な作業が必要となったり、画質が低下したりするという問題がある。
【先行技術文献】
【特許文献】
【００１０】
【特許文献１】特開平１０−１７４０３６号公報
【発明の概要】
【発明が解決しようとする課題】
【００１１】
そこで、本実施形態は、画像編集を行う編集機器とは別の表示装置に編集対象の画像を表示させて行う画像編集作業を、簡単にかつ画質の低下がなく行うことができる画像表示方法を提供することを目的とする。
【課題を解決するための手段】
【００１２】
実施形態の画像表示方法は、撮像された静止画の画像データに対して画像編集プログラムにより画像編集が行われると、前記画像編集を行う画像編集装置から、前記画像編集が行われた画像データのファイルデータを表示装置に送信すること、前記画像編集が行われた画像データの前記ファイルデータが前記表示装置により受信されると、前記画像編集が行われた画像データの前記ファイルデータをデコーダによりデコードし、デコードして生成された静止画を前記表示装置の画面上に表示すること、を有する。
【００１３】
実施形態の画像表示方法は、表示装置が、撮像された静止画の画像データのファイルデータを、記憶装置の所定の記憶領域へのコピーを行うこと、前記記憶装置に記憶された前記静止画の画像データのファイルデータを読み出してデコードして前記静止画を前記表示装置の画面上に表示すること、画像編集を行う画像編集装置が、前記記憶装置から前記静止画の画像データのファイルデータを読み出して、画像編集プログラムにより前記画像編集を行い、前記画像編集が行われると、前記画像編集が行われた画像データのファイルデータを前記記憶装置に記憶すること、前記表示装置は、前記画像編集が行われると、前記記憶装置に記憶された前記画像編集が行われた画像データのファイルデータを、再度読み出してデコードして前記画面上に表示すること、を有する。
【図面の簡単な説明】
【００１４】
【図１】第１の実施形態に係わる画像表示システムの構成図である。
【図２】第１の実施形態に係わるPC２の構成を示すブロック図である。
【図３】第１の実施形態に係わるテレビ３の構成を示すブロック図である。
【図４】第１の実施形態に係わる、テレビ３の写真再生モード時における写真再生処理プログラム２１ａの処理の流れの例を示すフローチャートである。
【図５】第１の実施形態に係わる、PC２における画像編集プログラム１２ａの実行時の処理の流れの例を示すフローチャートである。
【図６】第２の実施形態に係わる画像表示システム１Aの構成図である。
【図７】第２の実施形態に係わるPC２Aの構成を示すブロック図である。
【図８】第２の実施形態に係わるテレビ３Aの構成を示すブロック図である。
【図９】第２の実施形態に係わる、写真再生モードプログラム２１ｂの処理の流れの例を示すフローチャートである。
【図１０】第２の実施形態に係わる、PC２における編集処理の流れの例を示すフローチャートである。
【発明を実施するための形態】
【００１５】
以下、図面を参照して実施形態を説明する。
【００１６】
（第１の実施形態）
（構成）
図１は、本第１の実施形態に係わる画像表示システムの構成図である。図２は、PC２の構成を示すブロック図である。図３は、テレビ３の構成を示すブロック図である。  
画像表示システム１は、PC２と、テレビ３と、ネットワーク４とを含んで構成される。PC２と、テレビ３と、互いにネットワーク４を介して通信可能に接続されている。ネットワーク４は、有線あるいは無線のネットワークである。
【００１７】
画像編集をするための画像編集装置であるPC２は、制御部１１と、記憶装置１２と、表示装置１３と、通信インターフェース（以下、通信I/Fという）と、入力装置１５とを含む。
【００１８】
制御部１１は、中央処理装置（以下、CPUという）を含み、記憶装置１２に記憶されている各種プログラムを実行可能に構成されている。
【００１９】
記憶装置１２は、ROM、RAM、ハードディスクドライブ等を含み、ROMには、PC３の全体制御及び各機能のための各種プログラムが記憶されている。ハードディスク装置には、後述する画像編集プログラムを含む各種アプリケーションプログラムが記憶されている。制御部１１のCPUが、これらの各種プログラムを記憶装置１２から読み出して、RAMに展開して実行するように、PC２は構成されている。
【００２０】
記憶装置１２には、画像編集ソフトウエアプログラム（以下、画像編集プログラムという）１２ａと、後述するプラグインソフトウエアプログラム（以下、プラグインプログラムという）１２ｂが記憶されている。プラグインプログラム１２ｂは、画像編集プログラム１２ａの機能追加のためのプラグインプログラムであり、画像編集プログラム１２ａが実行されると、一緒に実行される。
【００２１】
表示装置１３は、液晶表示装置（LCD）等の表示パネルである。PC２の表示装置１３には、編集対象の静止画が表示されるので、PC２は、編集用表示装置ということもできる。  
通信I/F１４は、ネットワーク４とのインターフェース回路である。
【００２２】
よって、PC２は、通信I/F１４とネットワーク４を介して、テレビ３と通信することができる。  
入力装置１５は、PC２のマウス、キーボード等である。画像編集を行うユーザは、入力装置１５を用いて画像編集のための各種コマンド、値などをPC２へ入力することができる。
【００２３】
テレビ３は、制御部２１と、デコーダ２２と、表示装置２３と、通信I/F２４と、入力装置２５とを含む。テレビ３は、高解像度のテレビ、例えば、所謂４Kテレビ、８Kテレビであり、放送番組が視聴可能であるだけでなく、後述するように編集対象の静止画を高精細に表示することができる。テレビ３自体を、静止画を表示させて鑑賞するための表示装置とすれば、テレビ３は鑑賞用表示装置ということができる。また、ここでは、図示しないが、テレビ３は、放送番組を視聴するためのチューナ等を含んでいる。
【００２４】
また、テレビ３は、複数の動作モードを有しており、複数の動作モードには、所定の再生モードとして、後述する写真再生モードが含まれている。
【００２５】
制御部２１は、CPU、ROM、RAM装置等を含む記憶部２１Aを含み、ROMにはテレビ３の全体及び各機能を実現するための各種プログラムが記憶されている。制御部２１は、ROMに記憶されている各種プログラムを実行可能に構成されている。さらに、ROMには、後述する写真再生処理プログラム２１ａも記憶されている。
【００２６】
デコーダ２２は、所定の形式の静止画の画像データをデコードする処理部である。本実施形態では、画像のファイルデータは、JPEG方式で圧縮されたデータであり、デコーダ２２は、そのJPEGのファイルデータをデコードする。
【００２７】
表示装置２３は、高解像度の画像を表示可能な、液晶表示装置（LCD）等の表示パネルである。  
通信I/F２４は、ネットワーク４とのインターフェース回路である。
【００２８】
入力装置２５は、操作パネル、及びリモコンからの信号を受信する受信装置である。
【００２９】
PC２は、デジタルカメラ（DSC）５で撮像して得られた画像データを記憶装置１２のハードディスク装置に記憶可能である。例えば、PC２のメモリカード用スロットに、デジタルカメラ５に装着されていたメモリカードを装着して、ハードディスク装置にコピーすることによって、ユーザは、デジタルカメラ５で撮像して得られた画像を、PC２へコピーすることができる。
【００３０】
PC２にコピーされた画像は、画像編集プログラム１２ａにより編集可能である。画像編集プログラム１２ａは、画像に対して各種補正、各種強調などの各種画像処理を施して、画像を編集するためのプログラムである。
【００３１】
図１の構成の画像表示システム１では、PC２上で編集作業中の画像は、テレビ３に表示され、画像編集をしているユーザは、テレビ３に表示された画像を見て、編集された画像の状態を確認し、かつさらなる画像編集を行うことができる。
【００３２】
このような場合、テレビ３は、いわゆる高解像度で画像を表示可能なため、ユーザは、テレビ３の表示装置１３に高精細に表示された画像を見て、編集の状態を細かく確認しながら、画像編集を行うことができる。
【００３３】
（作用）
次に、画像表示システム１の作用について説明する。
【００３４】
ユーザは、PC２が送信する画像のファイルデータを受信してその画像をテレビ３の画面上に表示できるように、テレビ３を所定の動作モード、例えば写真再生モード、に設定する。ユーザは、リモコンなどを操作して、テレビ３を写真再生モードに設定することができる。写真再生モードの設定指示は、入力装置２５に入力され、制御部２１は、入力装置２５に入力された指示に基づいて、テレビ３が写真再生モードに設定されたことを判定することができる。制御部２１は、写真再生モードの設定に応じて、再生処理プログラム２１ａを実行する。
【００３５】
図４は、テレビ３の写真再生モード時における写真再生処理プログラム２１ａの処理の流れの例を示すフローチャートである。まず、制御部２１は、テレビ３が写真再生モードに設定されると、ネットワーク４を介する画像データの受信待ちとする（S1）。
【００３６】
制御部２１は、画像データを受信したか否かを判定し（S2）、画像データを受信しなければ（S2:NO）、処理はS1に戻る。
【００３７】
画像データを受信すると（S2:YES）、制御部２１は、受信データを表示する表示処理を実行する（S3）。制御部２１は、受信データであるファイルデータをデコーダ２２によりデコードして、表示装置２３に表示する。
【００３８】
S3の後、制御部２１は、テレビ３の画面上に、「表示が更新されました」等の表示更新を示すメッセージを生成して表示する（S4）。このようなメッセージより、ユーザは、受信された画像データがテレビ３に表示されていることを認識することができる。さらに、後述するように、ユーザは、編集された後の画像データがテレビ３に表示されていることを認識することもできる。
【００３９】
S4の後、制御部２１は、写真再生モードの終了が指示されたか否かを判定する（S5）。写真再生モードの終了が指示されなければ（S5:NO）、処理は、S1に戻る。写真再生モードの終了が指示されると（S5:YES）、処理は、終了する。
【００４０】
図５は、PC２における画像編集プログラム１２ａの実行時の処理の流れの例を示すフローチャートである。図５の処理は、画像編集プログラム１２ａとプラグインプログラム１２ｂによる処理である。
【００４１】
画像編集プログラム１２ａが実行されると、ユーザは、ハードディスク装置に記憶された複数の画像ファイルの中から編集対象の画像ファイルを指定するので、制御部１１は、画像編集プログラム１２ａの機能により、編集対象として指定された画像のファイルデータをデコードして表示するための表示処理を実行する（S11）。
【００４２】
次に、制御部１１は、プラグインプログラム１２ｂの機能により、画像のファイルデータをテレビ３へ送信する送信処理を実行する（S12）。S12では、制御部１１は、S11でデコードする前のファイルデータを送信してもよいし、あるいは表示した画像のファイルデータを、プラグインプログラム１２ｂの機能によりエンコードした画像のファイルデータを送信してもよい。すなわち、プラグインプログラム１２ｂは、画像のエンコード機能を有する。
【００４３】
画像編集プログラム１２ａは、記憶装置１５に記憶されている編集対象の画像データを、RAM上に展開し、そのRAM上のデータに対して編集処理を実行する。
【００４４】
制御部１１は、画像編集プログラム１２ａの機能により、各種画像処理を行う画像編集処理を実行する（S13）。S13の画像編集処理において、ユーザは、画像編集プログラム１２ａの各種機能を利用して、所望の編集指示を入力装置１５に対して行うことにより、編集対象の画像を編集することができる。
【００４５】
S13の処理の後、制御部１１は、画像編集プログラム１２ａの機能により、ユーザにより保存指示がされたか否かを判定する（S14）。保存が指示されなければ（S14:NO）、処理は、S12に戻り、制御部１１は、画像編集された画像の画像データを、プラグインプログラム１２ｂによりエンコードして生成されたファイルデータを送信する（S12）。なお、保存指示は、ユーザが所定のデータ保存コマンドを入力装置１５に入力することによって行われる。
【００４６】
S13において、例えば、ノイズ除去コマンドなどのコマンドの実行指示の入力あるいはコマンドの実行があると、制御部１１は、そのコマンドの実行指示の入力の有無を、入力装置１５への入力指示などに基づいて、判定することができる。そのようなコマンドの実行指示がされると、制御部１１は、S13の処理が実行されたとして、S14の判定を行う。すなわち、プラグインプログラム１２ｂは、画像編集を行う前記画像編集プログラムの実行状態を監視することによって、S13の処理が実行されたことを判定する。
【００４７】
S13の画像編集処理が実行されると、RAM上の画像データが変更される。そこで、プラグインプログラム１２ｂは、画像編集プログラム１２ａの実行状態を監視することによって、RAMへの書き込みの実行を監視する。言い換えれば、プラグインプログラム１２ｂは、画像編集が行われた否かは、画像編集を行う前記画像編集プログラムの実行状態を監視することによって、検出する。
【００４８】
保存が指示されると（S14:YES）、制御部１１は、画像編集プログラム１２ａの機能により、編集された画像の保存処理を実行する（S15）。S15では、画像データは、指定された形式のファイルデータ、ここではJPEG方式のデータにエンコードされて保存される。
【００４９】
保存処理が終了すると、制御部１１は、プラグインプログラム１２ｂの機能により、S15で保存した画像データの送信処理を実行する（S16）。
【００５０】
S16の後、制御部１１は、画像編集プログラム１２ａの実行の終了指示がされたか否かを判定し（S17）、終了指示がされると（S17:YES）、処理は、終了する。
【００５１】
終了指示がされなければ（S17:NO）、処理は、S13に移行する。
【００５２】
結果として、プラグインプログラム１２ｂによりS12,S16で送信された画像データはテレビ３により受信されて、図４のS1からS3の処理により、デコーダ２２によりデコードされて、画像編集された静止画を表示装置２３に表示する。
【００５３】
以上のように、画像編集を行う画像編集装置であるPC２は、撮像された静止画の画像データに対して画像編集プログラムにより画像編集が行われると、画像編集が行われた画像データのファイルデータを表示装置に送信する。表示装置であるテレビ３は、画像編集が行われた画像データのファイルデータを受信すると、画像編集が行われた画像データのファイルデータをデコーダによりデコードし、デコードして生成された静止画をテレビ３の画面上に表示する。PC２は、画像編集が行われた画像データのファイルデータの送信を、画像編集プログラム１２ａについての機能追加のためのプラグインプログラム１２ｂによって行う。
【００５４】
そして、テレビ３は、所定の再生モードとしての写真再生モードを有し、写真再生モードのときに、画像編集が行われた画像データのファイルデータの受信、及び画像編集が行われた画像データのファイルデータのデコード、及びデコードして生成された静止画の表示を行う。
【００５５】
よって、上述した本実施形態の画像表示システムによれば、ユーザは、画像編集を、編集装置であるPC２で行うときに、編集装置とは別の表示装置であるテレビ３に編集作業中の画像をほぼリアルタイムに表示させて、簡単に、かつテレビ３に表示される画像の画質低下なく、高画質の画像を見ながら、編集作業を行うことができる。
【００５６】
なお、上述した例では、PC２は、RAM上に展開された画像データを、所定の形式（ここではJPEG形式）の画像データにエンコードしてから、画像データを送信しているが、RAM上に展開された画像データをそのまま送信するようにしてもよい。その場合は、テレビ３に、そのRAMのデータをデコードするためのデコーダが設けられ、テレビ３は、そのデコーダにより、受信データをデコードして、表示装置２３に表示する。
【００５７】
（第２の実施形態）
第１の実施形態では、PCとテレビがネットワークを介して接続され、編集対象の静止画の画像データは、PCに保存されているが、第２の実施形態では、PCとテレビがネットワークを介して接続され、画像データは、ファイルサーバに保存されている。
【００５８】
（構成）
図６は、本実施形態に係わる画像表示システム１Aの構成図である。図７は、PC２Aの構成を示すブロック図である。図８は、テレビ３Aの構成を示すブロック図である。本実施形態の画像表示システム１Aにおいて、第１の実施形態と同じ構成要素については、同じ符号を付し説明は省略し、異なる構成についてのみ説明する。PC２Aとテレビ３Aは、第１の実施形態のPC２とテレビ３と略同様の構成である。テレビ３Aは、高解像度のテレビ、例えば、所謂４Kテレビ、８Kテレビであり、放送番組が視聴可能であるだけでなく、後述するように編集対象の静止画を表示することができる。
【００５９】
画像表示システム１Aは、PC２Aと、テレビ３Ａと、ファイルサーバとしてのネットワーク接続ストレージ（NAS：Network Attached Storage；以下、NASという）３１とを含んで構成される。PC２Aと、テレビ３Aと、NAS３１とは、互いにネットワーク４と介して通信可能に接続されている。
【００６０】
NAS３１は、図示しないコントローラと、ハードディスクドライブ３２と、通信I/F３３とを含み、ハードディスク装置３２に記録された画像データをPC２Aとテレビ３Aにより共有させるので、共有記憶装置ということができる。NAS３１は、図示しないコントローラにより制御されて、通信I/F３３を介してハードディスクドライブ３２に対するファイルの読み出しと書き込みが可能なファイルサーバである。
【００６１】
図６の構成の画像表示システム１Aでは、PC２A上で編集作業中の画像は、テレビ３Aに表示され、画像編集しているユーザは、テレビ３Aに表示された編集作業中の画像を見て、編集の状態を確認し、かつさらに、画像編集を行うことができる。
【００６２】
このとき、テレビ３Aは、高解像度で画像を表示可能なため、編集者であるユーザは、テレビ３Aの表示装置２３に表示された高精細な画像を見ながら、編集を行うことができる。
【００６３】
PC２Aの記憶装置１２には、後述する編集画像送信処理プログラム１２ｃが記憶されている。  
テレビ３Aの制御部２１には、後述する写真再生モードプログラム２１ｂが記憶されている。  
NAS３１のハードディスク装置３２には、後述するように、所定のフォルダのデータを記憶する記憶領域３２ａが作成される。
【００６４】
（作用）
図９は、写真再生モードプログラム２１ｂの処理の流れの例を示すフローチャートである。
【００６５】
図９の写真再生モードプログラム２１ｂは、画像編集を行うユーザがテレビ３Aを所定のモードとしての写真再生モードに設定すると、テレビ３Aの制御部２１によって実行される。具体的には、写真再生モードが設定されると、制御部２１のCPUが、制御部２１に含まれる記憶部２１Aに記憶された写真再生モードプログラム２１ｂを読み出して実行する。
【００６６】
図９の写真再生モードプログラム２１ｂが実行されると、まず、制御部２１は、ファイル選択処理を実行する（S21）。S21では、テレビ画面上に所定のメニュー画面が表示され、ユーザは、そのメニュー画面の指示に従って、再生する画像を選択することができる。
【００６７】
そのために、ファイル選択処理では、制御部２１は、テレビ３Aの表示装置２３の画面上に所定のメニューを表示し、ユーザは、メニュー画面の選択指示に従って、NAS３１に記憶されている画像のリストを読み出して表示装置２３に表示させることができる。そして、その表示された画像リストの中から、ユーザに、編集対象の画像のファイルの選択をさせることによって、テレビ３Aで再生するファイルの選択が行われる。
【００６８】
次に、ファイル選択処理が実行されてファイルが選択されると、制御部２１は、NAS３１の所定の記憶領域３２ａに、所定のフォルダを作成する（S22）。制御部２１は、所定の階層（例えばrootの直下の階層）に所定のフォルダを作成し、作成された所定のフォルダには、所定のフォルダ名を付ける。すなわち、表示装置であるテレビ３Aは、所定の動作モードとしての写真再生モードに変更されると、所定のフォルダを記憶装置であるNAS３１の所定の記憶領域に作成する。
【００６９】
制御部２１は、S22で作成された所定のフォルダに、S21で選択された画像のファイルをコピーし（S23）、選択されてコピーされた画像のファイルを読み出して、表示装置２３の画面上に画像を表示する画像表示を実行する（S24）。
【００７０】
なお、NAS３１に記憶される画像データは、ファイルデータであるので、テレビ３Aでは、読み出したファイルデータがデコーダ２２によりデコードされて、画像が表示される。
【００７１】
次に、PC２Aにおいて、画像編集が行われる。ユーザは、テレビ３Aにおいて、編集対象の画像を選択しているので、PC２Aは、その選択した画像を、NAS３１から読み出して、各種編集をすることができる。
【００７２】
すなわち、ファイルデータのNAS３１の所定の記憶領域３１ａへの前記コピーは、NAS３１に作成された所定のフォルダ内にファイルデータをコピーすることにより行われ、PC２Aは、その所定のフォルダ内にコピーされた静止画の画像データのファイルデータを読み出す。  図１０は、PC２における編集処理の流れの例を示すフローチャートである。図１０の処理は、PC２の制御部１１により実行される。  
まず、ユーザが画像編集プログラムの実行を指示すると、制御部１１は、画像編集プログラム２ａを起動する（S31）。  
次に、画像編集プログラム１２ａの機能を利用して、編集対象の画像を選択することができるので、制御部１１は、PC２のモニタである表示装置１３に、編集対象の画像を表示させる画像表示処理を実行する（S32）。
【００７３】
NAS３１の所定のフォルダには、テレビ３で選択された画像のファイルデータが記憶されている。よって、ユーザは、S32において、テレビ３に表示されている画像を、所定のフォルダの中から編集すべき画像として選択して、表示装置１３に表示させることができる。
【００７４】
画像編集プログラム１２ａを用いて、選択された画像を、PC２の表示装置１３上に表示させて、ユーザは、各種編集を行うことができる。
【００７５】
ユーザが編集処理の後に画像データの保存指示コマンドを入力すると、制御部１１は、編集後の画像のファイルをNAS３１に保存する保存処理を実行する（S34）。このとき、画像編集中の画像データは、RAM上に展開されているので、画像編集プログラム１２ａの機能により、画像データはエンコードされてNAS３１に送信されて保存される。なお、保存処理は、保存指示コマンドの入力ではなく、画像編集処理の実行がされると、実行されるようにしてもよい。すなわち、画像編集装置であるPC２Aは、データ保存コマンドの入力あるいは画像編集の編集処理の実行がされると、画像編集が行われた画像データのファイルデータを記憶装置であるNAS３１に記憶する。
【００７６】
そして、制御部１１が画像編集プログラム１２ａの実行の終了指示がされたか否かを判定し（S35）、終了指示がされていなければ（S35：NO）、処理は、S33に戻る。終了指示がされていれば（S35：YES）、制御部１１は、画像編集プログラム１２ａの実行を終了させる終了処理を実行する（S36）。
【００７７】
終了指示がされていなければ（S35：NO）、処理は、S33に戻るので、ユーザは、画像に対してさらなる画像編集を行うことができる。
【００７８】
次に、図９に戻り、S24の後、制御部２１は、所定の周期で、例えば１００ミリ秒の時間間隔で、NAS３１の所定のフォルダに格納されているファイルのデータを監視して、ファイルのデータが変更されたか否かを判定する（S25）。
【００７９】
この判定は、例えば、制御部２１が、前回読み出したファイルの更新日時データと今回読み出したファイルの更新日時データとを比較することによって行うことができる。すなわち、画像編集が行われた否かは、NAS３１に記憶された静止画の画像データのファイルデータの更新日時に基づいて判定される。
【００８０】
ファイルデータが変更されていると（S25:YES）、制御部２１は、所定のフォルダに格納されている画像のファイルデータを再読み込みし（S26）、再読み込みしたファイルデータをデコーダ２２によりデコードして、デコードされた画像を表示する（S27）。そして、テレビ３Aの画面上に、「再読み込みされました」、「表示が更新されました」等の表示更新を示すメッセージを生成して表示する（S28）。このようなメッセージより、ユーザは、編集された後の画像データがテレビ３Aに表示されていることを認識することができる。その後、処理は、S25に戻る。  
ファイルデータが変更されていなければ（S25:NO）、処理は何もしない。
【００８１】
なお、以上の例では、S25でファイルデータの変更があったときにのみ、画像のファイルデータが再読み込みされ（S26）、画像表示が行われているが（S27）、タイマ機能を利用して、制御部２１は、一定の時間が経過すると（すなわち一定の時間間隔で）、ファイルデータの変更の有無に関係なく、画像のファイルデータの再読み込みをして、画像を表示するようにしてもよい。
【００８２】
さらになお、テレビ３Aの入力装置２５の１つであるリモコン等の操作部に対する所定の指示に応じて、制御部２１が、画像のファイルデータの再読み込みをして、画像を表示するようにしてもよい。すなわち、リモコン等による所定の指示があったときだけ、制御部２１が、画像のファイルデータの再読み込みをして、画像を表示するようにしてもよい。
【００８３】
また、上記の例では、S22で作成された所定のフォルダには、１つの画像のファイルだけがコピーされるが、所定のフォルダが一旦作成された後に、その所定のフォルダにさらに画像データのファイルがコピーされる場合がある。そのような場合、ユーザがS21で所定のフォルダ中にある複数の画像の中から、編集すべき画像を選択すると、ファイル名に所定の文字、記号、日時などを追加して、編集すべき画像として現在選択されている画像を、他の画像と区別できるようにしてもよい。このように選択されたファイルを、ファイル名で識別できれば、PC２は、S32において、そのファイル名から、ユーザが写真再生モードでテレビ３Aに表示させた画像を、表示装置１３上に表示させることができる。
【００８４】
例えば、選択されている画像のファイル名を、元のファイル名にコピー日時の数字を付加したファイル名に変更するなどすることによって、複数のファイルの中から、現在選択されているファイルを他のファイルから区別できるようにしてもよい。なお、選択されなくなったあるいは他のファイルが選択されると、ファイル名は、元のファイル名に戻すように変更される。  
あるいは、現在選択されているファイルを他のファイルから区別できるように、選択されたファイルを示すフラグデータを、ファイル名に付加したりするようにしてもよい。  
そのようにすれば、PC２においても、編集すべき画像として現在選択されている画像を識別することができる。
【００８５】
さらにまた、再読込処理が実行されたとき、編集前の画像と、編集後の画像とを並べて表示するようにして、ユーザが、編集の前後の画像を見比べることができるようにしてもよい。
【００８６】
以上のように、表示装置であるテレビ３Aが、撮像された静止画の画像データのファイルデータを、記憶装置であるNAS３１の所定の記憶領域へのコピーを行い、NAS３１に記憶された静止画の画像データのファイルデータを読み出してデコードして静止画をテレビ３Aの画面上に表示する。画像編集を行う画像編集装置であるPC2は、NAS３１から静止画の画像データのファイルデータを読み出して、画像編集プログラム１２ａにより画像編集を行い、画像編集が行われると、画像編集が行われた画像データのファイルデータをNAS３１に記憶する。そして、テレビ３Aは、画像編集が行われると、NAS３１に記憶された画像編集が行われた画像データのファイルデータを、再度読み出してデコードして画面上に表示する。
【００８７】
よって、本実施形態によれば、編集機器であるPC２Aとは別の表示装置であるテレビ３Aに編集対象の画像を表示させて行う画像編集を、編集作業中の画像をほぼリアルタイムに表示しながら、簡単にかつ画質低下なく行うことができる画像表示方法を提供することができる。
【００８８】
以上のように、上述した各実施の形態の画像表示システムによれば、編集装置であるPCと表示装置であるテレビとを連携させながら、ユーザは、簡単に、かつテレビに表示された高精細な画像を見て編集結果を確認しながら、画像編集をすることができる画像表示方法を実現することができる。
【００８９】
さらに、このような画像表示システムが実現できれば、表示装置には写真家の意図通りの静止画の写真が表示されるので、４K,８K等の高解像度テレビ等の表示装置を使った写真展などを実現できる。
【００９０】
従来であれば、写真家は、PC上で編集された画像をプリンタでプリントし、プリントされた写真を確認して、さらに編集を行うという作業が必要であった。これに対して、高解像度テレビなどの表示装置を用いた展示であれば、写真の最終出力状態を確認しながら編集作業ができるので、従来のようなプリンタでプリントされた写真を見ながら、再度編集を行うという作業も不要となる。
【００９１】
なお、上述した２つの実施形態では、画像のファイルデータは、JPEG方式のデータであるが、ファイルデータは、他の形式のデータでもよく、その場合、デコーダは、ファイルデータの形式に応じたデコードを行うデコーダとなる。
【００９２】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００９３】
１、１A  画像表示システム、２、２A  パーソナルコンピュータ、３、３A  テレビ、４ネットワーク、５  デジタルカメラ、１１  制御部、１２  記憶装置、１２ａ  画像編集プログラム、１２ｂ  プラグインプログラム、１２ｃ  編集画像送信処理プログラム、１３  表示装置、１４  通信I/F、１５  入力装置、２１  制御部、２１A  記憶部、２１ａ  写真再生処理プログラム、２２  デコーダ、２３  表示装置、２４  通信I/F、２５  入力装置、３１  NAS、３２  ハードディスクドライブ、３２ａ  記憶領域、３３  通信I/F
【図１】
2014216664.tif 000003
【図２】
2014216664.tif 000004
【図３】
2014216664.tif 000005
【図４】
2014216664.tif 000006
【図５】
2014216664.tif 000007
【図６】
2014216664.tif 000008
【図７】
2014216664.tif 000009
【図８】
2014216664.tif 000010
【図９】
2014216664.tif 000011
【図１０】
2014216664.tif 000012